【手続補正書】
【提出日】平成28年5月25日(2016.5.25)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
別の装置から信号品質フィードバックを受信するように構成されたトランシーバと、
少なくとも１つのレートテーブルによって特定される信号品質の第1のレンジと関連付けられた第1の変調およびコード化方式を選択し、ここにおいて前記少なくとも１つのレートテーブルは信号品質の前記第１のレンジを変調およびコード化方式の第１のセットにマッピングし、信号品質の第２のレンジを変調およびコード化方式の第２のセットにマッピングする、
前記第１の変調およびコード化方式を使用する第１の通信と関連付けられた第１の信号品質を判定し、ここにおいて前記第１の信号品質は前記信号品質フィードバックから判定される、
前記第１の変調およびコード化方式を使用する第２の通信と関連付けられた第２の信号品質を判定し、ここにおいて前記第２の信号品質は前記信号品質フィードバックから判定される、
前記第１の信号品質と前記第２の信号品質との間の差を計算し、
前記差をしきい値と比較し、
前記差が前記しきい値以上であることを前記比較が示す場合に変調およびコード化方式選択手続きを呼び出す、ここにおいて前記変調およびコード化方式選択手続きは変調およびコード化方式の前記第１のセットからまたは変調およびコード化方式の前記第２のセットから後続の通信のための第２の変調およびコード化方式を選択するかどうかの判定を備える、
ように構成された処理システムと、
を備える、装置。
【請求項２】
前記第１の信号品質は前記別の装置によって計測された第１の受信信号強度インジケーションを備え、
前記第２の信号品質は前記別の装置によって計測された第２の受信信号強度インジケーションを備える、
請求項１に記載の装置。
【請求項３】
前記少なくとも１つのレートテーブルは、前記第１のレンジおよび前記第２のレンジを含みこれらレンジの各々が相互に排他的なレートのセットに対応する変調およびコード化方式のセットと関連付けられる信号品質の複数のレンジを特定し、ここにおいて、前記第２の変調およびコード化方式を選択するために、前記処理システムは、
前記第２の信号品質を含む信号品質の複数のレンジのうちの１つを識別し、
信号品質の識別された前記レンジと関連付けられる変調およびコード化方式の前記セットから１つの変調およびコード化方式を識別するようにさらに構成される、請求項１に記載の装置。
【請求項４】
識別された前記変調およびコード化方式は最も高いグッドプット値と関連付けられている前記セットの変調およびコード化方式のうちの１つである、請求項３に記載の装置。
【請求項５】
前記少なくとも１つのレートテーブルは複数のレートテーブルを備え、ここにおいて前記第２の変調およびコード化方式を選択するために、前記処理システムは、
前記第２の信号品質を含む信号品質のレンジと関連付けられたレートテーブルを識別し、ここにおいて識別された前記レートテーブルは前記複数のレートテーブルのうちの１つである、
識別された前記レートテーブルを使用して前記第２の変調およびコード化方式を選択するようにさらに構成される、請求項１に記載の装置。
【請求項６】
選択された前記第２の変調およびコード化方式は最も高いグッドプット値と関連付けられている識別された前記レートテーブルの変調およびコード化方式のうちの１つである、請求項５に記載の装置。
【請求項７】
前記処理システムは、ビームフォーミングされた通信のために異なるビームパターンが選択されたことを判定するようにさらに構成され、
前記第２の信号品質の判定は、異なるビームパターンが選択されたという前記判定の結果としてトリガされる、
請求項１に記載の装置。
【請求項８】
異なるビームパターンが選択されたという前記判定は、前記異なるビームパターンが前記第１の通信のために使用されたビームパターンよりも高い信号品質と関連付けられているというビームパターン検索アルゴリズムによる判定に基づく、請求項７に記載の装置。
【請求項９】
前記別の装置からの前記信号品質フィードバックの受信は、前記第１の通信および前記第２の通信のためのビームフォーミングされた信号を受信するワイヤレスノードから受信信号強度インジケーションの受信を備える、請求項１に記載の装置。
【請求項１０】
前記第１の通信、前記第２の通信、および前記後続の通信は、ＩＥＥＥ８０２．１１ａｄ通信を備える、請求項１に記載の装置。
【請求項１１】
ワイヤレス通信の方法であって、
少なくとも１つのレートテーブルによって特定される信号品質の第1のレンジと関連付けられた第1の変調およびコード化方式を選択することと、ここにおいて前記少なくとも１つのレートテーブルは信号品質の前記第１のレンジを変調およびコード化方式の第１のセットにマッピングし、信号品質の第２のレンジを変調およびコード化方式の第２のセットにマッピングする、
装置から信号品質フィードバックを受信することと、
前記第１の変調およびコード化方式を使用する第１の通信と関連付けられた第１の信号品質を判定することと、ここにおいて前記第１の信号品質は前記信号品質フィードバックから判定される、
前記第１の変調およびコード化方式を使用する第２の通信と関連付けられた第２の信号品質を判定することと、ここにおいて前記第２の信号品質は前記信号品質フィードバックから判定される、
前記第１の信号品質と前記第２の信号品質との間の差を計算することと、
前記差をしきい値と比較することと、
前記差が前記しきい値以上であることを前記比較が示す場合に変調およびコード化方式選択手続きを呼び出すことと、ここにおいて前記変調およびコード化方式選択手続きは変調およびコード化方式の前記第１のセットからまたは変調およびコード化方式の前記第２のセットから後続の通信のための第２の変調およびコード化方式を選択するかどうかを判定することを備える、
を備える、方法。
【請求項１２】
前記第１の信号品質は前記装置によって計測された第１の受信信号強度インジケーションを備え、
前記第２の信号品質は前記装置によって計測された第２の受信信号強度インジケーションを備える、
請求項１１に記載の方法。
【請求項１３】
前記少なくとも１つのレートテーブルは、前記第１のレンジおよび前記第２のレンジを含みこれらレンジの各々が相互に排他的なレートのセットに対応する変調およびコード化方式のセットと関連付けられる信号品質の複数のレンジを特定し、ここにおいて、前記第２の変調およびコード化方式の選択は、
前記第２の信号品質を含む信号品質の複数のレンジのうちの１つを識別することと、
信号品質の識別された前記レンジと関連付けられる変調およびコード化方式の前記セットから１つの変調およびコード化方式を識別することと
を備える、請求項１１に記載の方法。
【請求項１４】
識別された前記変調およびコード化方式は最も高いグッドプット値と関連付けられている前記セットの変調およびコード化方式のうちの１つである、請求項１３に記載の方法。
【請求項１５】
前記少なくとも１つのレートテーブルは複数のレートテーブルを備え、ここにおいて前記第２の変調およびコード化方式の選択は、
前記第２の信号品質を含む信号品質のレンジと関連付けられたレートテーブルを識別することと、ここにおいて識別された前記レートテーブルは前記複数のレートテーブルのうちの１つである、
識別された前記レートテーブルを使用して前記第２の変調およびコード化方式を選択することと
を備える、請求項１１に記載の方法。
【請求項１６】
選択された前記第２の変調およびコード化方式は最も高いグッドプット値と関連付けられている識別された前記レートテーブルの変調およびコード化方式のうちの１つである、請求項１５に記載の方法。
【請求項１７】
ビームフォーミングされた通信のために異なるビームパターンが選択されたことを判定することをさらに備え、前記第２の信号品質の判定は異なるビームパターンが選択されたという前記判定の結果としてトリガされる、請求項１１に記載の方法。
【請求項１８】
異なるビームパターンが選択されたという前記判定は、前記異なるビームパターンが前記第１の通信のために使用されたビームパターンよりも高い信号品質と関連付けられているというビームパターン検索アルゴリズムによる判定に基づく、請求項１７に記載の方法。
【請求項１９】
前記装置からの前記信号品質フィードバックの受信は前記第１の通信および前記第２の通信のためのビームフォーミングされた信号を受信するワイヤレスノードから受信信号強度インジケーションを受信することを備える、請求項１１に記載の方法。
【請求項２０】
前記第１の通信、前記第２の通信、および前記後続の通信はＩＥＥＥ８０２．１１ａｄ通信を備える、請求項１１に記載の方法。
【請求項２１】
ワイヤレス通信のための装置であって、
少なくとも１つのレートテーブルによって特定される信号品質の第1のレンジと関連付けられた第1の変調およびコード化方式を選択するための手段と、ここにおいて前記少なくとも１つのレートテーブルは信号品質の前記第１のレンジを変調およびコード化方式の第１のセットにマッピングし、信号品質の第２のレンジを変調およびコード化方式の第２のセットにマッピングする、
別の装置から信号品質フィードバックを受信するための手段と、
前記第１の変調およびコード化方式を使用する第１の通信と関連付けられた第１の信号品質を判定するための手段と、ここにおいて前記第１の信号品質は前記信号品質フィードバックから判定される、
前記第１の変調およびコード化方式を使用する第２の通信と関連付けられた第２の信号品質を判定するための手段と、ここにおいて前記第２の信号品質は前記信号品質フィードバックから判定される、
前記第１の信号品質と前記第２の信号品質との間の差を計算するための手段と、
前記差をしきい値と比較するための手段と、
前記差が前記しきい値以上であることを前記比較が示す場合に変調およびコード化方式選択手続きを呼び出すための手段と、ここにおいて前記変調およびコード化方式選択手続きは変調およびコード化方式の前記第１のセットからまたは変調およびコード化方式の前記第２のセットから後続の通信のための第２の変調およびコード化方式を選択するかどうかの判定を備える、
を備える、装置。
【請求項２２】
前記第１の信号品質は前記別の装置によって計測された第１の受信信号強度インジケーションを備え、
前記第２の信号品質は前記別の装置によって計測された第２の受信信号強度インジケーションを備える、請求項２１に記載の装置。
【請求項２３】
前記少なくとも１つのレートテーブルは、前記第１のレンジおよび前記第２のレンジを含みこれらレンジの各々が相互に排他的なレートのセットに対応する変調およびコード化方式のセットと関連付けられる信号品質の複数のレンジを特定し、ここにおいて、前記第２の変調およびコード化方式の選択は、
前記第２の信号品質を含む信号品質の複数のレンジのうちの１つを識別することと、
信号品質の識別された前記レンジと関連付けられる変調およびコード化方式の前記セットから１つの変調およびコード化方式を識別することと
を備える、請求項２１に記載の装置。
【請求項２４】
識別された前記変調およびコード化方式は最も高いグッドプット値と関連付けられている前記セットの変調およびコード化方式のうちの１つである、請求項２３に記載の装置。
【請求項２５】
前記少なくとも１つのレートテーブルは複数のレートテーブルを備え、ここにおいて前記第２の変調およびコード化方式の選択は、
前記第２の信号品質を含む信号品質のレンジと関連付けられたレートテーブルを識別することと、ここにおいて識別された前記レートテーブルは前記複数のレートテーブルのうちの１つである、
識別された前記レートテーブルを使用して前記第２の変調およびコード化方式を選択することと
を備える、請求項２１に記載の装置。
【請求項２６】
選択された前記第２の変調およびコード化方式は最も高いグッドプット値と関連付けられている識別された前記レートテーブルの変調およびコード化方式のうちの１つである、請求項２５に記載の装置。
【請求項２７】
ビームフォーミングされた通信のために異なるビームパターンが選択されたことを判定するための手段をさらに備え、前記第２の信号品質の判定は異なるビームパターンが選択されたという前記判定の結果としてトリガされる、請求項２１に記載の装置。
【請求項２８】
異なるビームパターンが選択されたという前記判定は、前記異なるビームパターンが前記第１の通信のために使用されたビームパターンよりも高い信号品質と関連付けられているというビームパターン検索アルゴリズムによる判定に基づく、請求項２７に記載の装置。
【請求項２９】
前記別の装置からの前記信号品質フィードバックの受信は、前記第１の通信および前記第２の通信のためのビームフォーミングされた信号を受信するワイヤレスノードから受信信号強度インジケーションを受信することを備える、請求項２１に記載の装置。
【請求項３０】
前記第１の通信、前記第２の通信、および前記後続の通信はＩＥＥＥ８０２．１１ａｄ通信を備える、請求項２１に記載の装置。
【請求項３１】
非一時的なコンピュータ可読媒体であって、
少なくとも１つのレートテーブルによって特定される信号品質の第1のレンジと関連付けられた第1の変調およびコード化方式を選択し、ここにおいて前記少なくとも１つのレートテーブルは信号品質の前記第１のレンジを変調およびコード化方式の第１のセットにマッピングし、信号品質の第２のレンジを変調およびコード化方式の第２のセットにマッピングする、    装置から信号品質フィードバックを受信し、
前記第１の変調およびコード化方式を使用する第１の通信と関連付けられた第１の信号品質を判定し、ここにおいて前記第１の信号品質は前記信号品質フィードバックから判定される、
前記第１の変調およびコード化方式を使用する第２の通信と関連付けられた第２の信号品質を判定し、ここにおいて前記第２の信号品質は前記信号品質フィードバックから判定される、
前記第１の信号品質と前記第２の信号品質との間の差を計算し、
前記差をしきい値と比較し、
前記差が前記しきい値以上であることを前記比較が示す場合に変調およびコード化方式選択手続きを呼び出す、ここにおいて前記変調およびコード化方式選択手続きは変調およびコード化方式の前記第１のセットからまたは変調およびコード化方式の前記第２のセットから後続の通信のための第２の変調およびコード化方式を選択するかどうかの判定を備える、
ように実行可能なコード
を備える、非一時的なコンピュータ可読媒体。
【請求項３２】
ワイヤレスノードであって、
アンテナシステムと、
装置から、前記アンテナシステムを介して、信号品質フィードバックを受信するように構成されたトランシーバと、
少なくとも１つのレートテーブルによって特定される信号品質の第1のレンジと関連付けられた第1の変調およびコード化方式を選択し、ここにおいて前記少なくとも１つのレートテーブルは信号品質の前記第１のレンジを変調およびコード化方式の第１のセットにマッピングし、信号品質の第２のレンジを変調およびコード化方式の第２のセットにマッピングする、
前記第１の変調およびコード化方式を使用する第１の通信と関連付けられた第１の信号品質を判定し、ここにおいて前記第１の信号品質は前記信号品質フィードバックから判定される、
前記第１の変調およびコード化方式を使用する第２の通信と関連付けられた第２の信号品質を判定し、ここにおいて前記第２の信号品質は前記信号品質フィードバックから判定される、
前記第１の信号品質と前記第２の信号品質との間の差を計算し、
前記差をしきい値と比較し、
前記差が前記しきい値以上であることを前記比較が示す場合に変調およびコード化方式選択手続きを呼び出す、ここにおいて前記変調およびコード化方式選択手続きは変調およびコード化方式の前記第１のセットからまたは変調およびコード化方式の前記第２のセットから後続の通信のための第２の変調およびコード化方式を選択するかどうかの判定を備える、
ように構成された処理システムと、
を備える、ワイヤレスノード。